(57)【要約】      （修正有）【課題】マルチディスプレイシステムを短時間で設置することができる表示装置の配置位置決定方法を提供する。【解決手段】マルチディスプレイシステムのディスプレイの配置パターンに従って各配置位置にディスプレイを配置する全ての組合せを求めておき、求めた組合せのうちの１つの組合せに対して、隣接するディスプレイの、隣接する２つの表示面において輝度および色度の測定結果の差分値を算出し、算出した差分値のうち、最大の差分値を１つの組合せの代表値として選択する。全ての組合せに対する代表値のうち最小の代表値を選択し、選択した代表値の組合せに基づいて、配置パターンにおけるディスプレイの配置位置を決定する。【選択図】図７
2014026120.tif 000002
【特許請求の範囲】
【請求項１】
矩形状の表示面を備え、識別情報によって互いに識別可能な複数の表示装置で構成され、表示面の少なくとも１つの辺部が他の表示面の辺部と対向するように予め定められた配置パターンに各表示装置を配置するマルチディスプレイシステムにおける各表示装置の配置位置を決定する配置位置決定方法であって、
マルチディスプレイシステムを構成する各表示装置について、測定用画像を表示面に表示させた状態で、表示面の予め定める測定点における輝度および色度を測定する測定工程と、
前記配置パターンに従って各配置位置に各表示装置を配置する全ての組合せを求める組合せ工程と、
求めた組合せのうちの１つの組合せに対して、隣接する２つの表示装置の隣接する２つの表示面において一方表示面の測定結果と他方表示面の測定結果との差分値を、該１つの組合せに含まれる全ての隣接する表示面について算出し、算出した差分値のうち、最大の差分値を該１つの組合せの代表値として選択する代表値選択工程と、
全ての組合せに対する代表値のうち最小の代表値を選択し、選択した代表値の組合せに基づいて、各表示装置の配置位置を決定する配置位置決定工程と、を有することを特徴とする表示装置の配置位置決定方法。
【請求項２】
前記予め定める測定点は、表示面の辺部ごとに設定した１つ以上の測定点であり、
前記代表値選択工程では、求めた組合せのうちの１つの組合せに対して、隣接する２つの表示装置の隣接する２つの表示面において対向する２つの辺部の一方辺部の測定結果と他方辺部の測定結果との差分値を、該１つの組合せに含まれる全ての対向する２つの辺部について算出することを特徴とする請求項１記載の表示装置の配置位置決定方法。
【請求項３】
矩形状の表示面を備え、識別情報によって互いに識別可能な複数の表示装置で構成され、表示面の少なくとも１つの辺部が他の表示面の辺部と対向するように予め定められた配置パターンに各表示装置を配置するマルチディスプレイシステムにおける各表示装置の配置位置を決定する配置位置決定方法であって、
マルチディスプレイシステムを構成する各表示装置について、測定用画像を表示面に表示させた状態で、表示面の予め定める複数の測定点における輝度および色度を測定する測定工程と、
表示装置ごとに、１つの表示面に対する複数の測定結果における差分値を算出し、表示装置ごとに算出した差分値のうち最も小さい差分値となる表示面を備える表示装置を基準表示装置として決定する基準装置決定工程と、
前記配置パターンに従って各配置位置に基準表示装置と他の表示装置とを配置する全ての組合せを求める組合せ工程と、
求めた組合せのうちの１つの組合せに対して、隣接する基準表示装置と他の表示装置の隣接する２つの表示面において基準表示装置の表示面の測定結果と他の表示装置の表示面の測定結果との差分値を、該１つの組合せに含まれる基準表示装置と他の表示装置の全ての隣接する表示面について算出し、算出した差分値のうち、最大の差分値を該１つの組合せの代表値として選択する代表値選択工程と、
全ての組合せに対する代表値のうち最小の代表値を選択し、選択した代表値の組合せに基づいて、各表示装置の配置位置を決定する配置位置決定工程と、を有することを特徴とする表示装置の配置位置決定方法。
【請求項４】
前記予め定める複数の測定点は、表示面の辺部ごとに設定した１つ以上の測定点であり、
前記代表値選択工程では、求めた組合せのうちの１つの組合せに対して、隣接する基準表示装置と他の表示装置の隣接する２つの表示面において対向する２つの辺部の一方辺部の測定結果と他方辺部の測定結果との差分値を、該１つの組合せに含まれる全ての対向する２つの辺部について算出することを特徴とする請求項３記載の表示装置の配置位置決定方法。
【発明の詳細な説明】
【技術分野】
【０００１】
本発明は、マルチディスプレイシステムにおける各表示装置の配置位置を決定する配置位置決定方法に関する。
【背景技術】
【０００２】
一般的に、表示装置は、所望の明るさや色合い（以下では、「色感」と称する）で画像を表示するために、輝度むらおよび色むらなどの表示不良を解消するためのカラーキャリブレーションが行われる。カラーキャリブレーションは、ガンマ値、ホワイトバランスなどの、表示装置に設定される画質調整用パラメータを適宜変更することで行われ、目視によって表示装置の画面に表示される画像を確認しながら手動で画質調整用パラメータを変更する場合と、表示装置に接続された情報処理装置が自動的に画質調整用パラメータを変更する場合とがある。
【０００３】
情報処理装置が自動的に画質調整用パラメータの変更を行う場合、情報処理装置は測色計と接続される。測色計は、光を受けて色感を測定する装置であり、カラーキャリブレーションに用いられる場合は、所定の画像データに基づく画像を表示中の表示装置の画面からの光を受けて色感を測定し、測定結果を情報処理装置に入力する。情報処理装置は、測色計による測定結果と、上記所定の画像データとに基づいて、所定のカラーキャリブレーション用のプログラムに従って、画質調整用パラメータを変更し、表示不良を解消する。
【０００４】
表示装置のカラーキャリブレーションでは、画質を調整するために、表示画面の部分的なパラメータ変更を可能とするキャリブレーション専用の回路を備えることが必要である。
【０００５】
広告画像の表示や各種情報画像の表示においては、複数台の表示装置を配置し、１つの画像を複数の表示装置で分割して表示させたり、同じ画像を複数の表示装置にそれぞれ表示させたり、複数種類の画像を互いに連動させて複数の表示装置に表示させることで、１台の表示装置では表現できない様々な画像表現を可能とするマルチディスプレイシステムが用いられる。
【０００６】
１台の表示装置だけでは表示不良とならない場合であっても、隣接する表示装置間で色感に違いがあると、マルチディスプレイシステム全体としての表示不良となってしまう。このようなマルチディスプレイシステム特有の表示不良は、実際に表示装置を設置して画像を表示したのちに見つかるものであるので、たとえば、全ての表示装置を設置した状態で測色計によって各表示装置の表示画面を測定して、各表示装置のキャリブレーションを行う必要があり、設置に長時間を要する。
【０００７】
特許文献１記載の表示装置は、複数の液晶プロジェクタを組み合せる表示装置で、各液晶プロジェクタにむらが発生する場合、隣接する液晶プロジェクタには同様のむらが発生するように配置し、表示装置全体として違和感がないようにしている。
【先行技術文献】
【特許文献】
【０００８】
【特許文献１】特開２００１−２１９９１号公報
【発明の概要】
【発明が解決しようとする課題】
【０００９】
特許文献１記載の表示装置は、各液晶プロジェクタにおけるむらを解消せず、配置を変えるだけで表示装置全体の表示不良を低減しようとするものであり、測色計による測定が不要になるという利点がある。しかしながら、複数の液晶プロジェクタにおいて同様のむらが発生するという、限定された条件下でのみ有効な技術であって、発生するむらが異なる場合には、全体としての表示不良を低減することはできない。
【００１０】
本発明の目的は、マルチディスプレイシステムを短時間で設置することができる表示装置の配置位置決定方法を提供することである。
【課題を解決するための手段】
【００１１】
本発明は、矩形状の表示面を備え、識別情報によって互いに識別可能な複数の表示装置で構成され、表示面の少なくとも１つの辺部が他の表示面の辺部と対向するように予め定められた配置パターンに各表示装置を配置するマルチディスプレイシステムにおける各表示装置の配置位置を決定する配置位置決定方法であって、
マルチディスプレイシステムを構成する各表示装置について、測定用画像を表示面に表示させた状態で、表示面の予め定める測定点における輝度および色度を測定する測定工程と、
前記配置パターンに従って各配置位置に各表示装置を配置する全ての組合せを求める組合せ工程と、
求めた組合せのうちの１つの組合せに対して、隣接する２つの表示装置の隣接する２つの表示面において一方表示面の測定結果と他方表示面の測定結果との差分値を、該１つの組合せに含まれる全ての隣接する表示面について算出し、算出した差分値のうち、最大の差分値を該１つの組合せの代表値として選択する代表値選択工程と、
全ての組合せに対する代表値のうち最小の代表値を選択し、選択した代表値の組合せに基づいて、各表示装置の配置位置を決定する配置位置決定工程と、を有することを特徴とする表示装置の配置位置決定方法である。
【００１２】
また本発明は、前記予め定める測定点は、表示面の辺部ごとに設定した１つ以上の測定点であり、
前記代表値選択工程では、求めた組合せのうちの１つの組合せに対して、隣接する２つの表示装置の隣接する２つの表示面において対向する２つの辺部の一方辺部の測定結果と他方辺部の測定結果との差分値を、該１つの組合せに含まれる全ての対向する２つの辺部について算出することを特徴とする。
【００１３】
また本発明は、矩形状の表示面を備え、識別情報によって互いに識別可能な複数の表示装置で構成され、表示面の少なくとも１つの辺部が他の表示面の辺部と対向するように予め定められた配置パターンに各表示装置を配置するマルチディスプレイシステムにおける各表示装置の配置位置を決定する配置位置決定方法であって、
マルチディスプレイシステムを構成する各表示装置について、測定用画像を表示面に表示させた状態で、表示面の予め定める複数の測定点における輝度および色度を測定する測定工程と、
表示装置ごとに、１つの表示面に対する複数の測定結果における差分値を算出し、表示装置ごとに算出した差分値のうち最も小さい差分値となる表示面を備える表示装置を基準表示装置として決定する基準装置決定工程と、
前記配置パターンに従って各配置位置に基準表示装置と他の表示装置とを配置する全ての組合せを求める組合せ工程と、
求めた組合せのうちの１つの組合せに対して、隣接する基準表示装置と他の表示装置の隣接する２つの表示面において基準表示装置の表示面の測定結果と他の表示装置の表示面の測定結果との差分値を、該１つの組合せに含まれる基準表示装置と他の表示装置の全ての隣接する表示面について算出し、算出した差分値のうち、最大の差分値を該１つの組合せの代表値として選択する代表値選択工程と、
全ての組合せに対する代表値のうち最小の代表値を選択し、選択した代表値の組合せに基づいて、各表示装置の配置位置を決定する配置位置決定工程と、を有することを特徴とする表示装置の配置位置決定方法である。
【００１４】
また本発明は、前記予め定める複数の測定点は、表示面の辺部ごとに設定した１つ以上の測定点であり、
前記代表値選択工程では、求めた組合せのうちの１つの組合せに対して、隣接する基準表示装置と他の表示装置の隣接する２つの表示面において対向する２つの辺部の一方辺部の測定結果と他方辺部の測定結果との差分値を、該１つの組合せに含まれる全ての対向する２つの辺部について算出することを特徴とする。
【発明の効果】
【００１５】
本発明によれば、識別情報によって互いに識別可能な複数の表示装置で構成されるマルチディスプレイシステムにおける各表示装置の配置位置を決定する配置位置決定方法であって、測定工程で、マルチディスプレイシステムを構成する各表示装置について、測定用画像を表示面に表示させた状態で、表示面の予め定める測定点における輝度および色度を測定すると、組合せ工程で、前記配置パターンに従って各配置位置に各表示装置を配置する全ての組合せを求める。代表値選択工程では、求めた組合せのうちの１つの組合せに対して、隣接する２つの表示装置の隣接する２つの表示面において一方表示面の測定結果と他方表示面の測定結果との差分値を、該１つの組合せに含まれる全ての隣接する表示面について算出し、算出した差分値のうち、最大の差分値を該１つの組合せの代表値として選択する。配置位置決定工程では、全ての組合せに対する代表値のうち最小の代表値を選択し、選択した代表値の組合せに基づいて、各表示装置の配置位置を決定する。
【００１６】
これにより、設置する前に、予め最適な表示装置の配置位置がわかるので、設置後に表示装置を測色したり、配置位置を入れ替えたりすることがなく、マルチディスプレイシステムを短時間で設置することができる。
【００１７】
また本発明によれば、前記予め定める測定点は、表示面の辺部ごとに設定した１つ以上の測定点であり、前記代表値選択工程では、求めた組合せのうちの１つの組合せに対して、隣接する２つの表示装置の隣接する２つの表示面において対向する２つの辺部の一方辺部の測定結果と他方辺部の測定結果との差分値を、該１つの組合せに含まれる全ての対向する２つの辺部について算出する。
【００１８】
マルチディスプレイシステムにおいては、隣接する表示面の対向する辺部同士で色感に差があると表示品質がより劣ることになるので、辺部における測定結果に基づいて配置位置を決定することで、マルチディスプレイシステム全体としてより表示品質に優れた配置を決定することができる。
【００１９】
また本発明によれば、識別情報によって互いに識別可能な複数の表示装置で構成されるマルチディスプレイシステムにおける各表示装置の配置位置を決定する配置位置決定方法であって、測定工程では、マルチディスプレイシステムを構成する各表示装置について、測定用画像を表示面に表示させた状態で、表示面の予め定める複数の測定点における輝度および色度を測定すると、基準装置決定工程で、表示装置ごとに、１つの表示面に対する複数の測定結果における差分値を算出し、表示装置ごとに算出した差分値のうち最も小さい差分値となる表示面を備える表示装置を基準表示装置として決定する。
【００２０】
組合せ工程では、前記配置パターンに従って各配置位置に基準表示装置と他の表示装置とを配置する全ての組合せを求める。
【００２１】
代表値選択工程では、求めた組合せのうちの１つの組合せに対して、隣接する基準表示装置と他の表示装置の隣接する２つの表示面において基準表示装置の表示面の測定結果と他の表示装置の表示面の測定結果との差分値を、該１つの組合せに含まれる基準表示装置と他の表示装置の全ての隣接する表示面について算出し、算出した差分値のうち、最大の差分値を該１つの組合せの代表値として選択する。配置位置決定方法では、全ての組合せに対する代表値のうち最小の代表値を選択し、選択した代表値の組合せに基づいて、各表示装置の配置位置を決定する。
【００２２】
これにより、設置する前に、予め最適な表示装置の配置位置がわかるので、設置後に表示装置を測色したり、配置位置を入れ替えたりすることがなく、マルチディスプレイシステムを短時間で設置することができる。
【００２３】
また本発明によれば、前記予め定める複数の測定点は、表示面の辺部ごとに設定した１つ以上の測定点であり、前記代表値選択工程では、求めた組合せのうちの１つの組合せに対して、隣接する基準表示装置と他の表示装置の隣接する２つの表示面において対向する２つの辺部の一方辺部の測定結果と他方辺部の測定結果との差分値を、該１つの組合せに含まれる全ての対向する２つの辺部について算出する。
【００２４】
辺部における測定結果に基づいて配置位置を決定することで、マルチディスプレイシステム全体としてより表示品質に優れた配置を決定することができる。
【図面の簡単な説明】
【００２５】
【図１】マルチディスプレイ配置決定システムＳの概略を示すブロック図である。
【図２】ディスプレイ１の測色時における制御端末装置２の処理を示すフローチャートである。
【図３】ディスプレイ１の測色時におけるディスプレイ１の処理を示すフローチャートである。
【図４】ディスプレイ１の測色時における２次元測色計３の処理を示すフローチャートである。
【図５】測定データの例を示す図である。
【図６】全てのディスプレイ１の測定データの例を示す図である。
【図７】第１実施形態における配置位置決定処理を示すフローチャートである。
【図８】ディスプレイ１の配置の組合せの例を示す図である。
【図９】１つの組合せにおける色差ΔＥの算出方法を示す概略図である。
【図１０Ａ】第２実施形態における配置位置決定処理を示すフローチャートである。
【図１０Ｂ】第２実施形態における配置位置決定処理を示すフローチャートである。
【図１１】算出された８の色差ΔＥを模式的に示す図である。
【図１２】全てのディスプレイ１の最大色差ΔＥの例を示す図である。
【図１３】基準ディスプレイと他のディスプレイ１との配置の組合せの例を示す図である。
【図１４】組合せごとに選択された最大色差ΔＥの例を示す図である。
【発明を実施するための形態】
【００２６】
図１は、マルチディスプレイ配置決定システムＳの概略を示すブロック図である。
マルチディスプレイ配置決定システム（以下では「決定システム」という）Ｓは、複数のディスプレイ１と、制御端末装置２と、２次元測色計３とから構成される。マルチディスプレイシステムは、複数の同一仕様のディスプレイ１を、予め定める配置パターン、たとえば２×２パターン（縦２台および横２台の計４台）、３×３パターン（縦３台および横３台の計９台）、１×３パターン（縦１台および横３台の計３台）、２×４パターン（縦２台および横４台の計８台）などの配置パターンに配置するものである。２×２パターンであれば、４台のディスプレイ１の配置位置は、左上、右上、左下および右下となる。
【００２７】
配置パターンは、各ディスプレイ１の表示面が同一平面に含まれるように、表示方向を揃えて配置するパターンである。詳細には、各ディスプレイ１の表示面が矩形状であり、表示面の少なくとも１つの辺部が他の表示面の辺部と対向するように、各ディスプレイ１を配置パターンの各配置位置に配置する。
【００２８】
ディスプレイ１は、表示部１０、表示駆動部１１、通信部１２、操作部１３、制御部１４を含んで構成される。表示部１０は、液晶パネルなどによって実現され、外形が矩形状の表示面を有する。表示駆動部１１は、制御部１４から入力される画像データに基づいて、表示部１０を駆動させて画像を表示させる。
【００２９】
通信部１２は、制御端末装置２とデータ通信するためのインターフェイスである。制御端末装置２からは、測定時に制御コマンドが送信され、ディスプレイ１からは、識別情報である製造番号などが制御端末装置２に送信される。制御端末装置２との通信は、特に限定されず、有線通信でも無線通信でも可能であり、データ通信は、ＲＳ−２３２Ｃ、ＵＳＢ（Universal Serial Bus）、ＤＤＣ／ＣＩ（Display Data Channel Command Interface）、ＨＤＭＩ−ＣＥＣ（High Definition Multimedia Interface Consumer Electronics Control）など各種の方式が利用できる。操作部１３は、リモートコントローラ、装置本体に設けられた各種キーなどであり、ユーザが操作することで、ディスプレイ１の設定変更などを行うことができる。
【００３０】
制御部１４は、ディスプレイ１の動作全体を制御し、コマンド処理部１４ａ、測定パターン生成部１４ｂおよび操作処理部１４ｃを有する。コマンド処理部１４ａは、制御端末装置２から送信されるコマンドの内容を解釈して、解釈した内容に応じた動作制御を行う。測定パターン生成部１４ｂは、ディスプレイ１の表示面の輝度および色度を測定するときに、表示面に表示させる測定用の画像パターンを生成する。測定用パターンは、たとえば、全面白色画像、全面グレー画像などである。操作処理部１４ｃは、操作部１３が操作されたときに、その操作内容を解析する。
【００３１】
制御端末装置２は、通信部２０、記憶部２１および制御部２２を含んで構成される。通信部２０は、ディスプレイ１および２次元測色計３とデータ通信するためのインターフェイスである。２次元測色計３に対しては、測定命令を送信し、測定データを受信する。記憶部２１は、制御端末装置２の動作時に必要な各種プログラムや一時データなどを記憶し、さらに測定値記憶部２１ａ、候補ディスプレイ記憶部２１ｂおよび色差記憶部２１ｃを有する。
【００３２】
測定値記憶部２１ａは、２次元測色計３から受信した測定データを、測定したディスプレイ１の製造番号と関連付けて記憶する。測定データは、ディスプレイ１の表示面の輝度および色度を示すものであればどのような表色系で表わされた値でもかまわない。たとえば、ＸＹＺ表色系によるＸ値、Ｙ値、Ｚ値またはＬ＊ａ＊ｂ＊表色系（ＣＩＥ  １９７６）によるＬ＊値、ａ＊値、ｂ＊値などを用いることができる。
【００３３】
候補ディスプレイ記憶部２１ｂは、配置パターンと、配置するディスプレイ１の製造番号とを記憶する。色差記憶部２１ｃは、後述する計算によって算出される各種色差を記憶する。
【００３４】
制御部２２は、制御端末装置２の動作全体を制御し、測定値処理部２２ａ、色差計算部２２ｂ、配置計算部２２ｃおよびコマンド生成部２２ｄを有する。測定値処理部２２ａは、通信部２０が２次元測色計３から受信した測定データと、ディスプレイ１から受信した製造番号とを関連付けて測定値記憶部２１ａに記憶する。
【００３５】
配置計算部２２ｃは、配置パターンに基づいて、製造番号で識別される各ディスプレイ１を配置位置に配置したときの全ての組合せを求める。色差計算部２２ｂは、ディスプレイ１の表示面内の色差を計算したり、各組合せにおいて、隣接するディスプレイ１間の色差を計算して、計算結果を色差記憶部２１ｃに記憶する。また、色差記憶部２１ｃに記憶された色差に基づいて、最適な配置位置を決定する。コマンド生成部２２ｄは、測定対象のディスプレイ１の電源、測定用パターンの表示などの制御を行うための制御コマンドを生成し、通信部２０からディスプレイ１に送信する。
【００３６】
２次元測色計３は、ディスプレイ１の表示面に測定用パターンを表示させた状態で表示面全体の輝度および色度を、予め定める測定点ごとに測定可能な従来公知の測色計を用いることができる。また、制御端末装置２から測定命令を受信すると測定を行い、得られた測定データを制御端末装置２に送信する。
【００３７】
（第１実施形態）
本発明の第１実施形態では、マルチディスプレイシステムを構成するための全てのディスプレイ１について２次元測色計３で測定したのち、配置パターンに従って、各配置位置に各ディスプレイ１を配置する全ての組合せを求め、各組合せにおいて、隣接する２つのディスプレイ１間の色差から最適な配置位置を決定する。
【００３８】
本実施形態では、一例として、配置パターンを２×２パターンとし、候補のディスプレイ１を８台とする。本発明は、ディスプレイ１の出荷前に予めマルチディスプレイシステムの設置を想定して配置位置を決定するものであるので、製品在庫から配置パターンに必要なディスプレイの台数よりも多くの台数のディスプレイを候補とすることが好ましい。本実施形態の２×２パターンに必要なディスプレイ１の台数は４台であるが、候補のディスプレイ１は８台としている。
【００３９】
配置パターンが２×２パターンであること、８台の候補のディスプレイ１に対する製造番号（０００１〜０００８）は、候補ディスプレイ記憶部２１ｂに記憶される。
【００４０】
図２は、ディスプレイ１の測色時における制御端末装置２の処理を示すフローチャートであり、図３は、ディスプレイ１の測色時におけるディスプレイ１の処理を示すフローチャートであり、図４は、ディスプレイ１の測色時における２次元測色計３の処理を示すフローチャートである。
【００４１】
制御端末装置２は、ステップＡ１で、ディスプレイ１に製造番号読み出し命令を送信し、ステップＳ２でディスプレイ１から製造番号を受信する。また、ステップＡ３で、ディスプレイ１に測定用パターン表示命令を送信し、ステップＡ４でディスプレイ１から測定用パターン表示完了を受信する。
【００４２】
ディスプレイ１は、ステップＢ１で、制御端末装置２から製造番号読み出し命令を受信すると、ステップＢ２で制御端末装置２に読み出した製造番号を送信する。また、ステップＢ３で、制御端末装置２から測定用パターン表示命令を受信すると、ステップＢ４で、表示部１０に測定用パターンを表示し、ステップＢ５で、制御端末装置２に測定用パターン表示完了を送信する。
【００４３】
制御端末装置２は、ステップＡ５で、２次元測色計３に対して測定命令を送信し、ステップＡ６で、２次元測色計３から測定データを受信する。本例では、測定データはＸＹＺ値とする。ステップＡ７では、測定データと製造番号とを測定値記憶部２１ａに記憶する。
【００４４】
２次元測色計３は、ステップＣ１で、制御端末装置２から測定命令を受信すると、ステップＣ２で、測定対象のディスプレイ１の表示面の測色を行いステップＣ３で、測定データを制御端末装置２に送信する。
【００４５】
図５は、測定データの例を示す図である。本例では、ディスプレイ１の表示面において９の測定点を設定している。測定点の位置は、たとえば表示面を３×３の９の領域に均等に分割した各領域の位置である。９の位置全てにおいて刺激値ＸＹＺの値が取得され、図４に示すような測定データとして測定値記憶部２１ａに記憶される。
【００４６】
１台のディスプレイ１に対する測定を、８台の候補のディスプレイ１全てについて行い、８台分の測定データを得る。図６は、全てのディスプレイ１の測定データの例を示す図である。製造番号０００１〜０００８までのディスプレイ１の測定データとして、各製造番号に対して９の位置全てにおける刺激値ＸＹＺの値が記憶される。
【００４７】
ディスプレイ１の測色についても、ディスプレイ１の出荷前であれば、暗室環境下でより正確に測定することが可能である。マルチディスプレイシステムの設置場所においてディスプレイ１の測色を行ってもよい。
【００４８】
全ての候補のディスプレイ１の測定が終了すると、配置位置決定処理が行われる。図７は、第１実施形態における配置位置決定処理を示すフローチャートである。まず、ステップＤ１で、候補ディスプレイ記憶部２１ｂに記憶された配置パターンと製造番号とから、配置パターンの各配置位置に各ディスプレイ１を配置する全ての組合せを求め、色差記憶部２１ｃに記憶する。
【００４９】
図８は、ディスプレイ１の配置の組合せの例を示す図である。配置位置である左上、右上、左下、右下のそれぞれに、製造番号を割り当てることで、配置の組合せを求める。８台の候補のディスプレイ１から４台のディスプレイ１を配置するので、組合せは全部で１６８０通りとなる。
【００５０】
ステップＤ２では、求めた組合せのうちの１つの組合せに対して、隣接する２つのディスプレイ１の隣接する２つの表示面における色差ΔＥを算出する。上記のように２次元測色計３による測定データはＸＹＺ値であるが、隣接する２台のディスプレイ１間において、輝度むらおよび色むらを評価するにあたっては、色空間変換によってＸＹＺ値からＬ＊ａ＊ｂ＊値に変換し、２台のディスプレイ１間における測定値の差分値として、Ｌ＊ａ＊ｂ＊値による色差ΔＥを用いる。色差ΔＥは、２つの測定値をＬ１＊ａ１＊ｂ１＊値およびＬ２＊ａ２＊ｂ２＊値としたとき、ΔＬ＊＝Ｌ１＊−Ｌ２＊、Δａ＊＝ａ１＊−ａ２＊、Δｂ＊＝ｂ１＊−ｂ２＊を算出し、ΔＥ＝（（ΔＬ＊）２＋（Δａ＊）２＋（Δｂ＊）２）１／２で算出できる。以下では、このような色差ΔＥを用いて配置位置の決定を行う。ＸＹＺ値からＬ＊ａ＊ｂ＊値への変換は、従来公知の変換式を用いて演算により行うことができる。
【００５１】
具体的には、互いに隣接する２台のディスプレイ１において、一方のディスプレイ１の表示面の測定結果と、他方のディスプレイ１の表示面の測定結果との差分値である色差ΔＥを、全ての隣接する表示面について算出する。図９は、１つの組合せにおける色差ΔＥの算出方法を示す概略図である。図９に示す例では、左上の配置位置に製造番号０００１のディスプレイ１を配置し、右上の配置位置に製造番号０００２のディスプレイ１を配置し、左下の配置位置に製造番号０００３のディスプレイ１を配置し、右下の配置位置に製造番号０００４のディスプレイ１を配置した組合せである。
【００５２】
たとえば、左上の製造番号０００１のディスプレイ１と、これに横方向に隣接する右上の製造番号０００２のディスプレイ１との間で測定値の色差ΔＥを算出する。このとき、２つの表示面の対向する辺部における測定値の色差ΔＥを算出する。左上の製造番号０００１のディスプレイ１の向かって右側短辺部の測定値と、右上の製造番号０００２のディスプレイ１の向かって左側短辺部の測定値との色差ΔＥを算出する。各短辺部には、上中下の３つの位置に測定点があるので、左上のディスプレイ１の右側短辺部の上位置の測定値と右上のディスプレイ１の左側短辺部の上位置の測定値との色差ΔＥを算出し、左上のディスプレイ１の右側短辺部の中位置の測定値と右上のディスプレイ１の左側短辺部の中位置の測定値との色差ΔＥを算出し、左上のディスプレイ１の右側短辺部の下位置の測定値と右上のディスプレイ１の左側短辺部の下位置の測定値との色差ΔＥを算出する。
【００５３】
このような色差ΔＥの算出を、左上の製造番号０００１のディスプレイ１と、これに縦方向に隣接する左下の製造番号０００３のディスプレイ１との間、右上の製造番号０００２のディスプレイ１と、これに縦方向に隣接する左下の製造番号０００４のディスプレイ１との間、左下の製造番号０００３のディスプレイ１と、これに横方向に隣接する右下の製造番号０００４のディスプレイ１との間でも行う。
【００５４】
１つの組合せについて、全ての色差ΔＥが算出されると、ステップＤ３で、算出された色差ΔＥのうち最大値となる色差ΔＥを組合せの代表値として選択し、色差記憶部２１ｃに記憶する。
【００５５】
ステップＤ４では、全ての組合せに対して最大の色差ΔＥの選択が完了したかどうかを判断し、全て完了していればステップＤ５に進み、完了していなければステップＤ２に戻り、次の組合せに対して代表値の色差ΔＥを選択するための同様の処理を繰り返す。
【００５６】
ステップＤ５では、全ての組合せにおける代表値（最大色差ΔＥ）のうち最小となる代表値を選択し、選択した代表値が対応する組合せを、２×２の配置パターンにおける４台のディスプレイ１の推奨配置位置として決定する。
【００５７】
上記のように、候補となるディスプレイ１による配置の組合せを総当たりで評価することによって、マルチディスプレイシステム全体としての表示品質が最良となる推奨の組合せを見出すことができる。
【００５８】
これにより、マルチディスプレイシステムを設置場所に設置する前に、予め最適なディスプレイ１の配置位置がわかるので、設置後にディスプレイ１を測色したり、ディスプレイ１を他の在庫ディスプレイと入れ替えたり、配置位置を入れ替えたりすることがなく、マルチディスプレイシステムを短時間で設置することができる。
【００５９】
（第２実施形態）
本実施形態では、まず、表示品質が優れたディスプレイ１を基準ディスプレイとして決定し、基準ディスプレイと他のディスプレイ１との色差を評価して最適なディスプレイ１の配置位置を決定する。
【００６０】
配置パターンは、３×３パターンであり、候補のディスプレイ１は、１５台（製造番号（０００１〜００１５））としている。また、全ての候補のディスプレイ１の測色についても第１実施形態と同じであるので説明を省略し、以下では、第２実施形態における配置位置決定処理について説明する。第１実施形態の図６で示したような全てのディスプレイ１（本実施形態では１５台）の測定データが測定値記憶部２１ａに記憶されているものとする。
【００６１】
図１０Ａ、１０Ｂは、第２実施形態における配置位置決定処理を示すフローチャートである。
ステップＥ１では、全ての候補のディスプレイ１について、ディスプレイ１ごとに表示面内の最大色差ΔＥを算出し、色差記憶部２１ｃに記憶する。
【００６２】
表示面内の最大色差ΔＥは、１つの表示面の複数の測定点における測定値に基づいて算出する。本実施形態では１つの表示面に９の測定点があり、中央の測定点とその周辺の８の測定点それぞれとの色差ΔＥを算出し、算出された８の色差ΔＥのうち最大となる色差ΔＥを１台のディスプレイ１における最大色差ΔＥとする。最大色差ΔＥは、ディスプレイ１の製造番号と関連付けて色差記憶部２１ｃに記憶する。
【００６３】
図１１は、算出された８の色差ΔＥを模式的に示す図である。９の測定点は、中央位置と、中央位置の周辺の上位置、下位置、右位置、左位置、右上位置、右下位置、左上位置、左下位置とからなる。８の色差ΔＥとして、中央位置のＬ＊ａ＊ｂ＊値と周辺位置のＬ＊ａ＊ｂ＊値との差分値をそれぞれ算出する。図１０では、中央位置のＬ＊ａ＊ｂ＊値と上位置のＬ＊ａ＊ｂ＊値との色差ΔＥを上位置に記載し、中央位置のＬ＊ａ＊ｂ＊値と下位置のＬ＊ａ＊ｂ＊値との色差ΔＥを下位置に記載し、中央位置のＬ＊ａ＊ｂ＊値と右位置のＬ＊ａ＊ｂ＊値との色差ΔＥを右位置に記載し、中央位置のＬ＊ａ＊ｂ＊値と左位置のＬ＊ａ＊ｂ＊値との色差ΔＥを左位置に記載し、中央位置のＬ＊ａ＊ｂ＊値と右上位置のＬ＊ａ＊ｂ＊値との色差ΔＥを右上位置に記載し、中央位置のＬ＊ａ＊ｂ＊値と右下位置のＬ＊ａ＊ｂ＊値との色差ΔＥを右下位置に記載し、中央位置のＬ＊ａ＊ｂ＊値と左上位置のＬ＊ａ＊ｂ＊値との色差ΔＥを左上位置に記載し、中央位置のＬ＊ａ＊ｂ＊値と左下位置のＬ＊ａ＊ｂ＊値との色差ΔＥを左下位置に記載している。
【００６４】
図１２は、全てのディスプレイ１の最大色差ΔＥの例を示す図である。製造番号０００１〜００１５までのディスプレイ１の最大色差ΔＥとして、各製造番号に対して１つの色差ΔＥが記憶される。
【００６５】
表示面内の最大色差ΔＥについては、上記のように中央位置の測定値と周辺位置の測定値との色差ΔＥから選択してもよいが、これに限定されず、複数の測定値のうち、最大値と最小値との差分値を最大色差ΔＥとしてもよい。
【００６６】
ステップＥ２では、全ての最大色差ΔＥのうち、最も小さい最大色差ΔＥに対応するディスプレイ１を基準ディスプレイとして決定する。ステップＥ３では、基準ディスプレイを中心に、基準ディスプレイの上下左右の配置位置に、基準ディスプレイ以外の他のディスプレイ１を配置する全ての組合せを求め、色差記憶部２１ｃに記憶する。
【００６７】
図１３は、基準ディスプレイと他のディスプレイ１との配置の組合せの例を示す図である。基準ディスプレイは、ステップＥ２で製造番号０００２のディスプレイ１に決定したものとする。図１３に示すように、製造番号０００２の基準ディスプレイに対して、配置位置である配置上、配置右、配置下、配置左のそれぞれに、他の１４台のディスプレイ１の製造番号を割り当てることで、配置の組合せを求める。
【００６８】
ステップＥ４では、求めた組合せのうちの１つの組合せに対して、上下左右で隣接する基準ディスプレイと各ディスプレイ１の隣接する２つの表示面における色差ΔＥを算出し、組合せごとに最大色差ΔＥを選択する。色差ΔＥの算出および最大色差ΔＥの選択は、第１実施形態と同様に行えばよい。
【００６９】
図１４は、組合せごとに選択された最大色差ΔＥの例を示す図である。図１４に示すように、各組合せに対して、選択された最大色差ΔＥを関連付けて色差記憶部２１ｃに記憶しておく。
【００７０】
ステップＥ５では、全ての組合せにおける最大色差ΔＥのうち最小となる最大色差ΔＥを選択し、選択した最大色差ΔＥが対応する１つの組合せを決定する。ステップＥ６では、３×３パターンに含まれる全てのディスプレイ１の配置が決定したかどうかを判断し、決定していればステップＥ１０に進み、決定していなければステップＥ７に進む。
【００７１】
ステップＥ７では、決定した組合せに基づいて、残余の配置位置に配置するディスプレイの全ての組合せを求め、色差記憶部２１ｃに記憶する。３×３の配置パターンにおいて、中央位置に配置する基準ディスプレイ、基準ディスプレイの上下左右の配置位置に配置するディスプレイ１は、ステップＥ５で決定しているので、残余の配置位置である、左上、左下、右上、右下の４つの配置位置に配置するディスプレイ１を、ステップＥ５で決定した組合せに含まれる５台のディスプレイ１を除いた他のディスプレイ１から選んで、残余の４つの配置位置に対するディスプレイ１の組合せを求める。
【００７２】
ステップＥ８では、求めた組合せのうちの１つの組合せに対して、隣接する２台のディスプレイ１の隣接する２つの表示面における色差ΔＥを算出し、組合せごとに最大色差ΔＥを選択する。色差ΔＥの算出および最大色差ΔＥの選択は、第１実施形態と同様に行えばよい。各組合せに対して、選択された最大色差ΔＥを関連付けて色差記憶部２１ｃに記憶しておく。
【００７３】
ステップＥ９では、全ての組合せにおける最大色差ΔＥのうち最小となる最大色差ΔＥを選択し、選択した最大色差ΔＥが対応する１つの組合せを決定してステップＥ６に戻る。
【００７４】
ステップＥ１０では、ステップＥ５で決定した組合せと、ステップＥ９で決定した組合せとに基づいて、３×３の配置パターンにおける９台のディスプレイ１の推奨配置位置を決定する。
【００７５】
上記では２次元測色計３によってディスプレイ１の表示面全面を一度で測色することを説明したが、これに限らず、スポット型測色計によってディスプレイ１の表示面の各測定点を順次測定しても測定データとしては同様のデータを得ることができる。
【符号の説明】
【００７６】
１      ディスプレイ
２      制御端末装置
３      ２次元測色計
１０    表示部
１１    表示駆動部
１２    通信部
１３    操作部
１４    制御部
１４ａ  コマンド処理部
１４ｂ  測定パターン生成部
１４ｃ  操作処理部
２０    通信部
２１    記憶部
２１ａ  測定値記憶部
２１ｂ  候補ディスプレイ記憶部
２１ｃ  色差記憶部
２２    制御部
２２ａ  測定値処理部
２２ｂ  色差計算部
２２ｃ  配置計算部
２２ｄ  コマンド生成部
【図１】
2014026120.tif 000003
【図２】
2014026120.tif 000004
【図３】
2014026120.tif 000005
【図４】
2014026120.tif 000006
【図５】
2014026120.tif 000007
【図６】
2014026120.tif 000008
【図７】
2014026120.tif 000009
【図８】
2014026120.tif 000010
【図９】
2014026120.tif 000011
【図１０Ａ】
2014026120.tif 000012
【図１０Ｂ】
2014026120.tif 000013
【図１１】
2014026120.tif 000014
【図１２】
2014026120.tif 000015
【図１３】
2014026120.tif 000016
【図１４】
2014026120.tif 000017